(57)【要約】      （修正有）【課題】全てのエレベータがサービス可能な通常階と特定のエレベータのみがサービス可能な段違い階とをサービスするシステムにおいて、利用客の操作負担を軽減できるエレベータの群管理制御装置を提供する。【解決手段】各エレベータのかご内に、段違い階を含む全ての階をそれぞれ目的階とするかご呼びが登録可能であるかご呼びボタン６を設けている。そして、通常階のみサービス可能なエレベータのかご内のかご呼びボタン６で段違い階内の目的階が指定された場合、段違い階をサービス可能な特定のエレベータのうちの乗換階までの到着予想時間が乗換元のエレベータの到着予想時間に最も近いエレベータを乗換エレベータと指定している。そして、段違い階を目的階とするかご呼びが登録されたエレベータ及び乗換エレベータに乗換階に対する停止を割当てる。【選択図】図１
2006143456.tif 000002
【特許請求の範囲】
【請求項１】
全てのエレベータがサービス可能な通常階と特定のエレベータのみがサービス可能な段違い階とからなる複数の階に対して複数台のエレベータを就役させるとともに、各階に設けられた乗場呼び登録手段に登録された乗場呼びを、割当制御手段によって、最適のエレベータに割当て、該当エレベータを該当乗場呼び発生階へ向かわせるエレベータの群管理制御装置において、
各エレベータのかご内に設けられ、前記段違い階を含む全ての階をそれぞれ目的階とするかご呼びが登録可能であるかご呼び登録手段と、
前記かご呼び登録手段に段違い階を目的階とするかご呼びが登録されると、当該かご呼び登録手段が設けられたエレベータが段違い階にサービス可能か否かを判定するサービス可否判定手段と、
このサービス可否判定手段が段違い階にサービス不可能と判定したとき、このエレベータが予め定められた乗換階に到着するまでの第１の到着予想時間と、段違い階にサービス可能な各エレベータが前記乗換階に到着するまでのそれぞれの第２の到着予想時間とを演算する到着予想時間演算手段と、
前記演算された第１の到着予想時間に最も近い第２の到着予想時間のエレベータを乗換エレベータと指定して、前記段違い階を目的階とするかご呼びが登録されたエレベータ及び前記乗換エレベータに前記乗換階に対する停止を割当てる乗換制御手段と、
この乗換制御手段にて指定された乗換エレベータ及び乗換階を含む乗換案内を、前記段違い階を目的階とするかご呼びが登録されたエレベータの乗客に予報する乗換予報制御手段と
を備えたことを特徴とするエレベータの群管理制御装置。
【請求項２】
全てのエレベータがサービス可能な通常階と特定のエレベータのみがサービス可能な段違い階とからなる複数の階に対して複数台のエレベータを就役させるとともに、各階に設けられた乗場呼び登録手段に登録された乗場呼びを、割当制御手段によって、最適のエレベータに割当て、該当エレベータを該当乗場呼び発生階へ向かわせるエレベータの群管理制御装置において、
各エレベータのかご内に設けられ、前記段違い階を含む全ての階をそれぞれ目的階とするかご呼びが登録可能であるかご呼び登録手段と、
前記かご呼び登録手段に段違い階を目的階とするかご呼びが登録されると、当該かご呼び登録手段が設けられたエレベータが段違い階にサービス可能か否かを判定するサービス可否判定手段と、
このサービス可否判定手段が段違い階にサービス不可能と判定したとき、このエレベータが各通常階にそれぞれ到着するまでの通常階毎の第１の到着予想時間と、段違い階にサービス可能な各エレベータが前記各通常階の各同一通常階に到着するまでのそれぞれの同一通常階毎の第２の到着予想時間とを演算する到着予想時間演算手段と、
前記演算された通常階毎の第１の到着予想時間に最も近い同一通常階の第２の到着予想時間における通常階を乗換階と指定しかつ当該第２の到着予想時間のエレベータを乗換エレベータと指定して、前記段違い階を目的階とするかご呼びが登録されたエレベータ及び前記乗換エレベータに前記乗換階に対する停止を割当てる乗換制御手段と、
この乗換制御手段にて指定された乗換エレベータ及び乗換階を含む乗換案内を、前記段違い階を目的階とするかご呼びが登録されたエレベータの乗客に予報する乗換予報制御手段と
を備えたことを特徴とするエレベータの群管理制御装置。
【請求項３】
前記乗換制御手段にて乗換エレベータが指定された時刻から、前記段違い階を目的階とするかご呼びが登録されたエレベータ及び前記乗換エレベータが前記乗換階に停止するための減速開始時刻までの期間に少なくとも一方のエレベータにかご呼びが登録されたとき、前記到着予想時間演算手段及び前記乗換制御手段を再実行する乗換制御再実行手段を備えたことを特徴とする請求項１又は２記載のエレベータの群管理制御装置。
【請求項４】
前記乗換制御手段にて乗換エレベータが指定された後に、前記段違い階を目的階とするかご呼びが登録されたエレベータにおける前記段違い階を目的階とするかご呼びの割当先を当該エレベータから乗換エレベータに移動する割当先移動手段を備えたことを特徴とする請求項１から３のいずれか１記載のエレベータの群管理制御装置。
【請求項５】
前記乗換予報制御手段は、前記乗換案内を、かご内に設けられたスピーカを介して音声で、前記段違い階を目的階とするかご呼びが登録されたエレベータの乗客に予報することを特徴とする請求項１から４のいずれか１項記載のエレベータの群管理制御装置。
【請求項６】
前記乗換予報制御手段は、前記乗換案内をかご内に設けられた表示器に表示することによって、前記段違い階を目的階とするかご呼びが登録されたエレベータの乗客に予報することを特徴とする請求項１から４のいずれか１項記載のエレベータの群管理制御装置。
【発明の詳細な説明】
【技術分野】
【０００１】
本発明は、複数台のエレベータを制御するエレベータの群管理制御装置に係わり、特にエレベータによってサービス可能な階が異なる条件のビルに設置されたエレベータの群管理制御装置に関する。
【背景技術】
【０００２】
一般に、複数のエレベータが設置され群管理制御運転が行なわれているビルにおいて、各階の乗場（エレベータホール）に設置された乗場呼びボタンのボタン操作で上方又は下方の乗場呼びが登録されると、複数台のエレベータの中からその時点で最適なエレベータが選択され、該当乗場呼びに対して割当てられる。
【０００３】
ビルによっては、例えば図２に示すように、建設上の理由等から群管理エレベータのサービス階不揃い（段違い）となっているものがある。この明細書においては、全てのエレベータ（図２においてはＡ号機〜Ｄ号機）がサービス可能な階を通常階１と呼び（図２においては１Ｆ〜３０Ｆ）、特定のエレベータ（Ｃ号機〜Ｄ号機）のみがサービス可能な階（３１Ｆ〜４０Ｆ）を段違い階２と呼ぶ。
【０００４】
このようなビルにおいて、通常の乗場呼びボタン操作で上方又は下方の乗場呼びの登録を行った場合、全てのエレベータの中から最適なエレベータが選択されて、そのエレベータが応答することになる。この場合、必ずしも段違い階２にサービス可能なエレベータが応答するのではないため、乗客（利用者）が段違い階２に行きたいにもかかわらず、段違い階にサービス不可能なエレベータが応答した場合、乗客（利用者）は途中で段違い階２にサービス可能な他のエレベータに乗換える必要が生ずる。
【０００５】
このようなビルに設置されたエレベータの管理手法の一例が特許文献１に提唱されている。この管理手法においては、かご内に行き先階を登録するかご呼びボタンの他に、乗継ボタンを設け、かごに乗車した乗客が乗継ボタンを押すと、乗継階までの行先階登録と、乗継かごを呼ぶ乗継階での呼び登録を同時に行っている。
【０００６】
また、特許文献２においては、エレベータの利用客が、エレベータホールで、乗場呼びを登録する際に所定の操作を行うことでその乗場呼びを登録した利用客が、段違い階へ行きたい利用客であると判断し、エレベータホールに乗換の案内や段違い階をサービスしないエレベータ（号機）をやり過ごすための案内を行う方法が示されている。
【特許文献１】特開平６―３２５４４号公報
【特許文献２】特開平５―１３９６３８号公報
【発明の開示】
【発明が解決しようとする課題】
【０００７】
しかしながら、特許文献１においては、複数の乗換対象のエレベータ（号機）が存在した場合のことが考慮されておらず、どのエレベータ（号機）に乗換えれば良いかを示す手段が示されていない。また、特許文献２においては、段違い階へ行きたい利用客は、エレベータホールで、段違い階への乗場呼び登録に通常のボタン操作とは異なる煩雑な操作を必要としている。したがって、この操作に不慣れな外来者にとっては、この手法は逆にサービス低下になる。
【０００８】
本発明はこのような事情に鑑みてなされたものであり、利用客は、たとえ通常階のみサービス可能なエレベータに乗車したとしても、かご内のかご呼びボタンで段違い階内の目的階を指定する通常の操作でもって、途中の階で段違い階をサービス可能な特定のエレベータにスムーズに乗換えることができ、その結果、確実に段違い階の目的階に到着することができ、利用客に対するサービスを向上できるエレベータの群管理制御装置を提供することを目的とする。
【課題を解決するための手段】
【０００９】
本発明は、全てのエレベータがサービス可能な通常階と特定のエレベータのみがサービス可能な段違い階とからなる複数の階に対して複数台のエレベータを就役させるとともに、各階に設けられた乗場呼び登録手段に登録された乗場呼びを、割当制御手段によって、最適のエレベータに割当て、該当エレベータを該当乗場呼び発生階へ向かわせるエレベータの群管理制御装置に適用される。
【００１０】
そして、上記課題を解消するために本発明のエレベータの群管理制御装置においては、各エレベータのかご内に設けられ、段違い階を含む全ての階をそれぞれ目的階とするかご呼びが登録可能であるかご呼び登録手段と、かご呼び登録手段に段違い階を目的階とするかご呼びが登録されると、当該かご呼び登録手段が設けられたエレベータが段違い階にサービス可能か否かを判定するサービス可否判定手段と、このサービス可否判定手段が段違い階にサービス不可能と判定したとき、このエレベータが予め定められた乗換階に到着するまでの第１の到着予想時間と、段違い階にサービス可能な各エレベータが乗換階に到着するまでのそれぞれの第２の到着予想時間とを演算する到着予想時間演算手段と、演算された第１の到着予想時間に最も近い第２の到着予想時間のエレベータを乗換エレベータと指定して、段違い階を目的階とするかご呼びが登録されたエレベータ及び乗換エレベータに前記乗換階に対する停止を割当てる乗換制御手段と、この乗換制御手段にて指定された乗換エレベータ及び乗換階を含む乗換案内を、段違い階を目的階とするかご呼びが登録されたエレベータの乗客に予報する乗換予報制御手段とを備えている。
【００１１】
このように構成されたエレベータの群管理制御装置においては、通常階のみをサービス可能なエレベータを含む全てのエレベータのかご内には、段違い階を含む全ての階をそれぞれ目的階とするかご呼びが登録可能であるかご呼び登録手段が設けられている。そして、段違い階へ行こうとする利用客は、通常階へ行こうとする利用客と同様に、各階のエレベータホールで乗場呼び登録手段（乗場呼びボタン）で乗場呼びを登録して、この乗場呼びに応答したエレベータに乗り込み、かご呼び登録手段（かご呼びボタン）で段違い階を目的階とするかご呼びを登録（指定）する。
【００１２】
すると、この乗り込んだエレベータが段違い階にサービス不可能なエレベータの場合、このエレベータが予め定められた乗換階に到着するまでの第１の到着予想時間と、段違い階にサービス可能な各エレベータが乗換階に到着するまでのそれぞれの第２の到着予想時間とが自動的に演算され、第１の到着予想時間に最も近い第２の到着予想時間のエレベータを乗換エレベータと指定して、利用客が乗車しているエレベータと乗換エレベータとが乗換階に自動的に停止し、乗換案内がなされる。
【００１３】
したがって、利用客は、乗場呼び登録手段（乗場呼びボタン）、及びかご呼び登録手段（かご呼びボタン）で特別な操作をすることなく、効率的に段違い階のなかの目的階へ行くことができる。
【００１４】
また別の発明は、上述したエレベータの群管理制御装置において、各エレベータのかご内に設けられ、段違い階を含む全ての階をそれぞれ目的階とするかご呼びが登録可能であるかご呼び登録手段と、かご呼び登録手段に段違い階を目的階とするかご呼びが登録されると、当該かご呼び登録手段が設けられたエレベータが段違い階にサービス可能か否かを判定するサービス可否判定手段と、このサービス可否判定手段が段違い階にサービス不可能と判定したとき、このエレベータが各通常階にそれぞれ到着するまでの通常階毎の第１の到着予想時間と、段違い階にサービス可能な各エレベータが各通常階の各同一通常階に到着するまでのそれぞれの同一通常階毎の第２の到着予想時間とを演算する到着予想時間演算手段と、演算された通常階毎の第１の到着予想時間に最も近い同一通常階の第２の到着予想時間における通常階を乗換階と指定しかつ当該第２の到着予想時間のエレベータを乗換エレベータと指定して、段違い階を目的階とするかご呼びが登録されたエレベータ及び乗換エレベータに前記乗換階に対する停止を割当てる乗換制御手段と、この乗換制御手段にて指定された乗換エレベータ及び乗換階を含む乗換案内を、段違い階を目的階とするかご呼びが登録されたエレベータの乗客に予報する乗換予報制御手段とを備えている。
【００１５】
このように構成されたエレベータの群管理制御装置において、段違い階を目的階とするかご呼びが登録されたエレベータから段違い階にサービス可能な各エレベータへの乗換可能な通常階は複数存在するが、この複数の階のうちで乗換までの各時間が互いに最も近似する階を乗換階としている。この場合、どのエレベータに乗換えるかも、乗換までの時間が最も互いに最も近似するエレベータを乗換エレベータとしているので、利用客はより効率的にエレベータを乗換えて目的階へ行くことができる。
【００１６】
また、別の発明は、上述した各発明のエレベータの群管理制御装置に対して、さらに、乗換制御手段にて乗換エレベータが指定された時刻から、段違い階を目的階とするかご呼びが登録されたエレベータ及び乗換エレベータが乗換階に停止するための減速開始時刻までの期間に少なくとも一方のエレベータにかご呼びが登録されたとき、到着予想時間演算手段及び乗換制御手段を再実行する乗換制御再実行手段を備えている。
【００１７】
このように構成されたエレベータの群管理制御装置においては、乗換エレベータが指定された時刻から、段違い階を目的階とするかご呼びが登録されたエレベータ及び乗換エレベータが乗換階に停止する期間にエレベータにかご呼びが登録されると、該当エレベータの乗換階までの到着予想時間が変化する。到着予想時間が変化すると、先に指定した乗換エレベータ（場合によっては乗換階も）が最良であるか否かを確認する必要がある。したがって、このような場合、到着予想時間演算手段及び乗換制御手段を再実行することによって、利用客はより効率的にエレベータを乗換えて目的階へ行くことができる。
【００１８】
また、別の発明は、上述した各発明のエレベータの群管理制御装置に対して、さらに、乗換制御手段にて乗換エレベータが指定された後に、段違い階を目的階とするかご呼びが登録されたエレベータにおける段違い階を目的階とするかご呼びの割当先を当該エレベータから乗換エレベータに移動する割当先移動手段を備えている。
【００１９】
このように構成されたエレベータの群管理制御装置においては、乗換階で乗換エレベータに乗換えた利用客（乗客）は、乗換エレベータのかご内で、かご呼び登録手段（かご呼びボタン）で再度目的階を登録する必要ない。
【００２０】
また、別の発明は、上述した各発明のエレベータの群管理制御装置における乗換予報制御手段は、乗換案内を、かご内に設けられたスピーカを介して音声で、段違い階を目的階とするかご呼びが登録されたエレベータの乗客に予報する。
【００２１】
また、別の発明は、上述した各発明のエレベータの群管理制御装置における乗換予報制御手段は、乗換案内をかご内に設けられた表示器に表示することによって、段違い階を目的階とするかご呼びが登録されたエレベータの乗客に予報する。
【発明の効果】
【００２２】
本発明においては、通常階のみサービス可能なエレベータのかご内のかご呼びボタンで段違い階内の目的階が指定された場合、段違い階をサービス可能な特定のエレベータのうちの乗換階までの到着予想時間が乗換元のエレベータの到着予想時間に最も近いエレベータを乗換エレベータと指定している。
【００２３】
したがって、利用客は、たとえ通常階のみサービス可能なエレベータに乗車したとしても、かご内のかご呼びボタンで段違い階内の目的階を指定する通常の操作でもって、途中の階で段違い階をサービス可能な特定のエレベータにスムーズに乗換えることができ、その結果、確実に段違い階の目的階に到着することができ、利用客に対するサービスを向上できる。
【発明を実施するための最良の形態】
【００２４】
以下、本発明の各実施形態を図面を用いて説明する。
【００２５】
（第１実施形態）
図１は本発明の第１実施形態に係わるエレベータの群管理制御装置が組込まれたエレベータシステムの概略構成図である。
【００２６】
この実施形態のエレベータシステムは、図２に示すように、エレベータのサービス階不揃い（段違い）のビルに適用される。このビルは、全てのエレベータ（Ａ号機〜Ｄ号機）がサービス可能な複数の通常階（１Ｆ〜３０Ｆ）１と、特定のエレベータ（Ｃ号機〜Ｄ号機）のみがサービス可能な複数の段違い階（３１Ｆ〜４０Ｆ）２とで構成されている。そして、この実施形態においては、３０Ｆ（階）を乗換階と設定している。
【００２７】
図１において、実施形態のエレベータシステムにおいては、図２に示すＡ号機からＤ号機までの４台のエレベータの群管理制御を行う群管理制御装置３と、各々のエレベータの動作を個別に制御する４台の単体制御部４と、各々のエレベータにおける乗客を乗せる４台のかご５ａ，５ｂ、５ｃ、５ｄとが設けられている。
【００２８】
各かご５ａ〜５ｄ内にはこのかご５ａ〜５ｄに乗車した利用客（乗客）が自己の行き先階を登録するかご呼び登録手段としてのかご呼びボタン６が設けられている。このかご呼びボタン６は、すべてのエレベータ（かご５ａ〜５ｄ）に共通して、通常階（１Ｆ〜３０Ｆ）１と段違い階（３１Ｆ〜４０Ｆ）２とを含む全ての階１、２を目的階として登録（指定）することが可能である。
【００２９】
さらに、各かご５ａ〜５ｄには、利用客（乗客）に対する乗換案内を音声出力するスピーカ７が取付られている。
【００３０】
一方、このエレベータシステムが設けられたビルの各階１、２のエレベータホールには、エレベータ待ちの利用者（乗客）がエレベータを呼ぶための乗場呼び登録手段としての乗場呼びボタン８が取付けられている。
【００３１】
例えばコンピュータ等で構成された第１実施形態の群管理制御装置３内には、割当制御部１０、サービス可否判定部１１、到着予想時間演算部１２、乗換制御部１３、乗換制御再実行部１４、乗換予報制御部１５が設けられている。なお、この実施形態においては、かご呼びボタン６も群管理制御装置に含まれる。
【００３２】
割当制御部１０は、利用客にて、各階１、２のエレベータホールで乗場呼びボタン８にて乗場の呼びが登録されると、この乗場呼びの発生（登録）階１、２や、利用客の行きたい方向と各エレベータ（各号機）に既に割当てられているかご呼びまたは乗場呼びの状況と、到着予想時間演算部１２にて算出された前記乗場呼びの発生（登録）階１、２に対する各エレベータ（各号機）の到着予想時間から、最も運行効率の良い（例えば、到着予想時間が最も短い）エレベータ（号機）を選択し、そのエレベータ（号機）に対して前記登録された乗場呼びに対する割当てを行い、該当エレベータ（号機）を前記乗場呼びの発生（登録）階１、２へ向かわせる。
【００３３】
サービス可否判定部１１は、各かご５ａ〜５ｄ内のかご呼びボタン６に段違い階２を目的階とするかご呼びが登録されると、当該かご呼びボタン６が設けられたかご５ａ〜５ｄのエレベータが段違い階２にサービス可能なエレベータ（Ｃ号機、Ｄ号機）であるか否かを判定して、判定結果を到着予想時間演算部１２へ送出する。
【００３４】
到着予想時間演算部１２は、前述したように、乗場呼び発生時に、乗場呼びの発生（登録）階１、２に対する各エレベータ（各号機）の到着予想時間を算出して割当制御部１０へ送出する。さらに、到着予想時間演算部１２は、サービス可否判定部１１が段違い階２を目的階とするかご呼びが登録されたエレベータが段違い階２にサービス不可能のエレベータ（Ａ号機又はＢ号機）であると判定したとき、このエレベータ（Ａ号機又はＢ号機）が予め定められた３０Ｆの乗換階に到着するまでの第１の到着予想時間と、段違い階２にサービス可能な各エレベータ（Ｃ号機及びＤ号機）が３０Ｆの乗換階に到着するまでのそれぞれの第２の到着予想時間とを演算して乗換制御部１３へ送出する。
【００３５】
乗換制御部１３は、到着予想時間演算部１２で演算された第１の到着予想時間に最も近い第２の到着予想時間のエレベータ（Ｃ号機又はＤ号機）を乗換エレベータと指定して、段違い階２を目的階とするかご呼びが登録されたエレベータ（Ａ号機又はＢ号機）及び乗換エレベータ（Ｃ号機又はＤ号機）に３０Ｆの乗換階に対する停止の割当てを割当制御部１０に指示する。
【００３６】
乗換制御再実行部１４は、段違い階２を目的階とするかご呼びが登録されたエレベータ（Ａ号機又はＢ号機）及び乗換エレベータ（Ｃ号機又はＤ号機）の各かご呼び登録の有無を割当制御部１０を介して監視し、乗換制御部１３にて乗換エレベータが指定された時刻から、前記各エレベータが３０Ｆの乗換階に停止するための減速開始時刻までの期間に少なくとも一方のエレベータにかご呼びが登録されたとき、到着予想時間演算部１２及び乗換制御部１３を再実行させる。
【００３７】
この理由は、乗換エレベータが指定された時刻から、段違い階を目的階とするかご呼びが登録されたエレベータ及び乗換エレベータが乗換階に停止する期間にエレベータに新たなかご呼びが登録されると、該当エレベータの乗換階までの到着予想時間が変化する。到着予想時間が変化すると、先に指定した乗換エレベータが最良であるか否かを確認する必要がある。したがって、このような場合、到着予想時間の演算及び乗換エレベータの指定をやり直す必要がある。
【００３８】
乗換予報制御部１５は、乗換制御部１３にて最終的に指定された乗換エレベータ及び乗換階を含む乗換案内を、段違い階２を目的階とするかご呼びが登録されたエレベータの乗客にかご５ａ、５ｂ内に設けられたスピーカ７で音声出力する。
【００３９】
次に、エレベータの群管理制御装置３におけるエレベータの群管理制御動作を図３の流れ図を用いて説明する。
【００４０】
利用客が各階１、２で乗場呼びボタン８を押して、この乗場呼びに応答したエレベータに乗り込んで、かご呼びボタン６にて目的階を指定したかご呼びが登録された場合（Ｓ１）、サービス可否判定部１１が、当該かご呼びボタン６が設けられたかご５ａ〜５ｄのエレベータが段違い階２にサービス可能なエレベータ（Ｃ、Ｄ号機）であるか否かを判定する。言い換えれば、Ｓ１にて登録された目的階が、特定エレベータ（Ｃ、Ｄ号機）しかサービスできない段違い階２の呼びか否かを判断する（Ｓ２）。
【００４１】
このとき、Ｓ３にて前記登録された目的階が段違い階２ではなく通常階１である場合、通常のかご呼びとして扱い、エレベータの乗換の処理は行わない。
【００４２】
また、前記Ｓ３にて登録された目的階が段違い階２である場合、到着予想時間演算部１２は、このエレベータ（Ａ号機又はＢ号機）が３０Ｆの乗換階に到着するまでの第１の到着予想時間と、段違い階２にサービス可能な各エレベータ（Ｃ号機及びＤ号機）が３０Ｆの乗換階に到着するまでのそれぞれの第２の到着予想時間とを演算する。
【００４３】
乗換制御部１３は、演算された第１の到着予想時間に最も近い第２の到着予想時間のエレベータを乗換エレベータと指定して、段違い階２を目的階とするかご呼びが登録されたエレベータ及び乗換エレベータに３０Ｆの乗換階に対する停止の割当てを割当制御部１０に指示する（Ｓ４）。
【００４４】
次に、乗換エレベータが指定された時刻から、各エレベータが３０Ｆの乗換階に停止するための減速開始時刻までの期間に少なくとも一方のエレベータにかご呼びが登録されたとき（Ｓ５、Ｓ６、Ｓ７）、Ｓ４へ戻り、到着予想時間の演算及び乗換エレベータの指定をやり直す。
【００４５】
エレベータ（Ａ号機又はＢ号機）が３０Ｆの乗換階に停止するための減速開始時刻になると（Ｓ７）、最終的に指定された乗換エレベータ及び乗換階を含む乗換案内を、段違い階２を目的階とするかご呼びが登録されたエレベータ（Ａ号機又はＢ号機）の乗客にかご５ａ、５ｂ内に設けられたスピーカ７で音声出力する（Ｓ８）。
【００４６】
このように構成された本発明の第１実施形態のエレベータの群管理制御装置においては、通常階１のみをサービス可能なエレベータ（Ａ、Ｂ号機）を含む全てのエレベータ（Ａ〜Ｄ号機）のかご５ａ〜５ｄ内には、段違い階２を含む全ての階をそれぞれ目的階とするかご呼びが登録可能であるかご呼びボタン６が設けられている。そして、段違い階２へ行こうとする利用客は、通常階１へ行こうとする利用客と同様に、各階のエレベータホールで乗場呼びボタン８で乗場呼びを登録して、この乗場呼びに応答したエレベータに乗り込み、かご呼びボタン６で段違い階２を目的階とするかご呼びを登録（指定）する。
【００４７】
すると、この乗り込んだエレベータが段違い階２にサービス不可能なエレベータ（Ａ号機又はＢ号機）の場合、このエレベータ（Ａ号機又はＢ号機）が３０Ｆの乗換階に到着するまでの第１の到着予想時間と、段違い階２にサービス可能な各エレベータ（Ｃ号機及びＤ号機）が乗換階に到着するまでのそれぞれの第２の到着予想時間とが自動的に演算され、第１の到着予想時間に最も近い第２の到着予想時間のエレベータ（Ｃ号機又はＤ号機）を乗換エレベータと指定して、利用客が乗車しているエレベータ（Ａ号機又はＢ号機）と乗換エレベータ（Ｃ号機又はＤ号機）とが３０Ｆの乗換階に自動的に停止し、スピーカ７にて音声で乗換案内がなされる。
【００４８】
したがって、利用客は、乗場呼びボタン８、及びかご呼びボタン６で特別な操作をすることなく、効率的に段違い階２のなかの目的階へ行くことができる。
【００４９】
（第２実施形態）
図４は本発明の第２実施形態のエレベータの群管理制御装置が組込まれたエレベータシステムの概略構成図である。図１に示す第１実施形態のエレベータの群管理制御装置３が組込まれたエレベータシステムと同一部分には同一符号を付して、重複する部分の詳細説明を省略する。
【００５０】
この第２実施形態のエレベータシステムにおいては、Ａ号機からＤ号機までの各エレベータのかご５ａ〜５ｄには、スピーカ７の他に、表示器９が設けられている。
【００５１】
また、この第２実施形態のエレベータの群管理制御装置３ａ内には、割当制御部１０、サービス可否判定部１１、到着予想時間演算部１２、乗換制御部１３、乗換制御再実行部１４、乗換予報制御部１５ａが設けられている。なお、この実施形態においては、かご呼びボタン６も群管理制御装置に含まれる。
【００５２】
乗換予報制御部１５ａは、乗換制御部１３にて最終的に指定された乗換エレベータ及び乗換階を含む乗換案内を、段違い階２を目的階とするかご呼びが登録されたエレベータの乗客にかご５ａ、５ｂ内に設けられた表示器９に表示出力すると共に、スピーカ７で音声出力する。
【００５３】
次に、エレベータの群管理制御装置３ａにおけるエレベータの群管理制御動作を図５の流れ図を用いて説明する。
【００５４】
図３に示す第１実施形態における流れ図と同様に、利用客が各階１、２で乗場呼びボタン８を押して、この乗場呼びに応答したエレベータに乗り込んで、かご呼びボタン６にて目的階を指定したかご呼びが登録された場合（Ｓ１１）、Ｓ１１にて登録された目的階が、特定エレベータ（Ｃ、Ｄ号機）しかサービスできない段違い階２の呼びか否かを判断する（Ｓ１２）。
【００５５】
このとき、Ｓ１３にて前記登録された目的階が段違い階２ではなく通常階１である場合、通常のかご呼びとして扱い、エレベータの乗換の処理は行わない。
【００５６】
また、前記Ｓ１３にて登録された目的階が段違い階２である場合、到着予想時間演算部１２は、このエレベータ（Ａ号機又はＢ号機）が３０Ｆの乗換階に到着するまでの第１の到着予想時間と、段違い階２にサービス可能な各エレベータ（Ｃ、Ｄ号機）が３０Ｆの乗換階に到着するまでのそれぞれの第２の到着予想時間とを演算する。
【００５７】
乗換制御部１３は、演算された第１の到着予想時間に最も近い第２の到着予想時間のエレベータを乗換エレベータと指定して、段違い階２を目的階とするかご呼びが登録されたエレベータ及び乗換エレベータに３０Ｆの乗換階に対する停止の割当てを割当制御部１０に指示する（Ｓ１４）。
【００５８】
次に、乗換エレベータが指定された時刻から、各エレベータが３０Ｆの乗換階に停止するための減速開始時刻までの期間に少なくとも一方のエレベータに新たなかご呼びが登録されたとき（Ｓ１５、Ｓ１６、Ｓ１７）、Ｓ１４へ戻り、到着予想時間の演算及び乗換エレベータの指定をやり直す。
【００５９】
エレベータが３０Ｆの乗換階に停止するための減速開始時刻になると（Ｓ１７）、最終的に指定された乗換エレベータ及び乗換階を含む乗換案内を、段違い階２を目的階とするかご呼びが登録されたエレベータ（Ａ号機又はＢ号機）の乗客にかご５ａ、５ｂ内に設けられた表示器９に表示出力すると共にスピーカ７で音声出力する（Ｓ１８）。
【００６０】
このように構成された本発明の第２実施形態のエレベータの群管理制御装置３ａにおいては、本発明の第１実施形態のエレベータの群管理制御装置３とほぼ同様の作用効果を得ることが可能である。さらに、この第２実施形態のエレベータの群管理制御装置３ａにおいては、乗換エレベータ及び乗換階を含む乗換案内を表示器９に表示出力すると共にスピーカ７で音声出力しているので、エレベータの乗換客に対するサービスをより一層向上できる。
【００６１】
（第３実施形態）
図６は本発明の第３実施形態のエレベータの群管理制御装置が組込まれたエレベータシステムの概略構成図である。図４に示す第２実施形態のエレベータの群管理制御装置３ａが組込まれたエレベータシステムと同一部分には同一符号を付して、重複する部分の詳細説明を省略する。
【００６２】
この第３実施形態のエレベータの群管理制御装置３ｂ内には、割当制御部１０、サービス可否判定部１１、到着予想時間演算部１２ａ、乗換制御部１３ａ、乗換制御再実行部１４、乗換予報制御部１５ａが設けられている。なお、この実施形態においては、かご呼びボタン６も群管理制御装置に含まれる。
【００６３】
この第３実施形態のエレベータシステムにおいては、通常階（１Ｆ〜３０Ｆ）１のなかの特定の階を乗換階と固定せずに、到着予想時間演算部１２ａの計算結果に基づいて、乗換制御部１３ａが、乗換階及び乗換エレベータを指定する。
【００６４】
サービス可否判定部１１は、各かご５ａ〜５ｄ内のかご呼びボタン６に段違い階を目的階とするかご呼びが登録されると、当該かご呼びボタン６が設けられたかご５ａ〜５ｄのエレベータが段違い階２にサービス可能なエレベータ（Ｃ、Ｄ号機）であるかい否かを判定して、判定結果を到着予想時間演算部１２ａへ送出する。
【００６５】
到着予想時間演算部１２ａは、サービス可否判定部１１が、該当エレベータが段違い階２にサービス不可能なエレベータ（Ａ号機又はＢ号機）だと判定したとき、このエレベータ（Ａ号機又はＢ号機）が１Ｆ〜３０Ｆの各通常階１にそれぞれ到着するまでの通常階毎の第１の到着予想時間と、段違い階２にサービス可能な各エレベータ（Ｃ号機及びＤ号機）が１Ｆ〜３０Ｆの各通常階１の各同一通常階１に到着するまでのそれぞれの同一通常階毎の第２の到着予想時間とを演算する。
【００６６】
乗換制御部１３ａは、到着予想時間演算部１２ａで演算された通常階毎の第１の到着予想時間に最も近い同一通常階の第２の到着予想時間における通常階を乗換階と指定し、かつ当該第２の到着予想時間のエレベータ（Ｃ号機又はＤ号機）を乗換エレベータと指定する。そして、乗換制御部１３ａは、段違い階２を目的階とするかご呼びが登録されたエレベータ（Ａ号機又はＢ号機）及び乗換エレベータ（Ｃ号機又はＤ号機）に今回指定した乗換階に対する停止の割当を割当制御部１０に指示する。
【００６７】
次に、エレベータの群管理制御装置３ｂにおけるエレベータの群管理制御動作を図７の流れ図を用いて説明する。
【００６８】
図５に示す第２実施形態における流れ図と同様に、利用客が各階１、２で乗場呼びボタン８を押して、この乗場呼びに応答したエレベータに乗り込んで、かご呼びボタン６にて目的階を指定したかご呼びが登録された場合（Ｓ２１）、Ｓ２１にて登録された目的階が、特定エレベータ（Ｃ、Ｄ号機）しかサービスできない段違い階２の呼びか否かを判断する（Ｓ２２）。
【００６９】
このとき、Ｓ２３にて前記登録された目的階が段違い階２ではなく通常階１である場合、通常のかご呼びとして扱い、エレベータの乗換の処理は行わない。
【００７０】
また、前記Ｓ２３にて登録された目的階が段違い階２である場合、到着予想時間演算部１２ａは、このエレベータ（Ａ号機又はＢ号機）が１Ｆ〜３０Ｆの各通常階１にそれぞれ到着するまでの通常階毎の第１の到着予想時間と、段違い階２にサービス可能な各エレベータ（Ｃ号機及びＤ号機）が１Ｆ〜３０Ｆの各通常階１の各同一通常階１に到着するまでのそれぞれの同一通常階毎の第２の到着予想時間とを演算する。
【００７１】
乗換制御部１３ａは、到着予想時間演算部１２ａで演算された通常階毎の第１の到着予想時間に最も近い同一通常階の第２の到着予想時間における通常階を乗換階と指定し、かつ当該第２の到着予想時間のエレベータ（Ｃ号機又はＤ号機）を乗換エレベータと指定する。そして、乗換制御部１３ａは、段違い階２を目的階とするかご呼びが登録されたエレベータ（Ａ号機又はＢ号機）及び乗換エレベータ（Ｃ号機又はＤ号機）に今回指定した乗換階に対する停止の割当を割当制御部１０に指示する（Ｓ２４）。
【００７２】
次に、乗換エレベータ（Ｃ号機又はＤ号機）が指定された時刻から、各エレベータ［（Ａ号機又はＢ号機）、及び（Ｃ号機又はＤ号機）］が今回指定された乗換階に停止するための減速開始時刻までの期間に少なくとも一方のエレベータ［（Ａ号機又はＢ号機）、又は（Ｃ号機又はＤ号機）］に新たにかご呼びが登録されたとき（Ｓ２５、Ｓ２６、Ｓ２７）、Ｓ２４へ戻り、到着予想時間の演算、乗換エレベータの指定、及び乗換階の指定をやり直す。
【００７３】
エレベータ（Ａ号機又はＢ号機）が今回指定された乗換階に停止するための減速開始時刻になると（Ｓ２７）、最終的に指定された乗換エレベータ（Ｃ号機又はＤ号機）及び乗換階を含む乗換案内を、段違い階２を目的階とするかご呼びが登録されたエレベータ（Ａ号機又はＢ号機）の乗客にかご５ａ、５ｂ内に設けられた表示器９に表示出力すると共にスピーカ７で音声出力する（Ｓ２８）。
【００７４】
このように構成された本発明の第３実施形態のエレベータの群管理制御装置３ｂにおいては、本発明の第２実施形態のエレベータの群管理制御装置３ａとほぼ同様の作用効果を得ることが可能である。
【００７５】
さらに、この第３実施形態のエレベータの群管理制御装置３ｂにおいては、通常階（１Ｆ〜３０Ｆ）１のなかの特定の階を乗換階と固定せずに、到着予想時間演算部１２ａの計算結果に基づいて、乗換制御部１３ａにて、乗換階及び乗換エレベータを指定するようにしているので、利用客はより効率的にエレベータを乗換えて目的階へ行くことができる。
【００７６】
（第４実施形態）
図８は本発明の第４実施形態のエレベータの群管理制御装置が組込まれたエレベータシステムの概略構成図である。図６に示す第３実施形態のエレベータの群管理制御装置３ｂが組込まれたエレベータシステムと同一部分には同一符号を付して、重複する部分の詳細説明を省略する。
【００７７】
この第４実施形態のエレベータの群管理制御装置３ｃ内には、割当制御部１０、サービス可否判定部１１、到着予想時間演算部１２ａ、乗換制御部１３ａ、乗換制御再実行部１４、乗換予報制御部１５ａ、割当先移動部１６が設けられている。なお、この実施形態においては、かご呼びボタン６も群管理制御装置に含まれる。
【００７８】
この第４実施形態のエレベータシステムにおいては、第３実施形態のエレベータシステムと同様に、通常階（１Ｆ〜３０Ｆ）１のなかの特定の階を乗換階と固定せずに、到着予想時間演算部１２ａの計算結果に基づいて、乗換制御部１３ａで、乗換階及び乗換エレベータを指定する。
【００７９】
割当先移動部１６は、乗換制御部１３ａにて乗換エレベータ（Ｃ号機又はＤ号機）及び乗換階が指定された後に、段違い階２を目的階とするかご呼びが登録されたエレベータ（Ａ号機又はＢ号機）における段違い階２を目的階とするかご呼びの割当先を当該エレベータ（Ａ号機又はＢ号機）から乗換エレベータ（Ｃ号機又はＤ号機）に移動する指示を割当制御部１０に行う。
【００８０】
次に、エレベータの群管理制御装置３ｃにおけるエレベータの群管理制御動作を図９の流れ図を用いて説明する。
【００８１】
図７に示す第３実施形態における流れ図と同様に、利用客が各階１、２で乗場呼びボタン８を押して、この乗場呼びに応答したエレベータに乗り込んで、かご呼びボタン６にて目的階を指定したかご呼びが登録された場合（Ｓ３１）、Ｓ３１にて登録された目的階が、特定エレベータ（Ｃ、Ｄ号機）しかサービスできない段違い階２の呼びか否かを判断する（Ｓ３２）。
【００８２】
このとき、Ｓ３３にて前記登録された目的階が段違い階２ではなく通常階１である場合、通常のかご呼びとして扱い、エレベータの乗換の処理は行わない。
【００８３】
また、前記Ｓ３３にて登録された目的階が段違い階２である場合、到着予想時間演算部１２ａは、このエレベータ（Ａ号機又はＢ号機）が１Ｆ〜３０Ｆの各通常階１にそれぞれ到着するまでの通常階毎の第１の到着予想時間と、段違い階２にサービス可能な各エレベータ（Ｃ号機及びＤ号機）が１Ｆ〜３０Ｆの各通常階１の各同一通常階１に到着するまでのそれぞれの同一通常階毎の第２の到着予想時間とを演算する。
【００８４】
乗換制御部１３ａは、到着予想時間演算部１２ａで演算された通常階毎の第１の到着予想時間に最も近い同一通常階の第２の到着予想時間における通常階を乗換階と指定し、かつ当該第２の到着予想時間のエレベータ（Ｃ号機又はＤ号機）を乗換エレベータと指定する。そして、乗換制御部１３ａは、段違い階２を目的階とするかご呼びが登録されたエレベータ（Ａ号機又はＢ号機）及び乗換エレベータ（Ｃ号機又はＤ号機）に今回指定した乗換階に対する停止の割当を割当制御部１０に指示する（Ｓ３４）。
【００８５】
次に、割当先移動部１６は、乗換制御部１３ａにて乗換エレベータ（Ｃ号機又はＤ号機）及び乗換階が指定された後に、段違い階２を目的階とするかご呼びが登録されたエレベータ（Ａ号機又はＢ号機）における段違い階２を目的階とするかご呼びの割当先を当該エレベータ（Ａ号機又はＢ号機）から乗換エレベータ（Ｃ号機又はＤ号機）に移動する指示を割当制御部１０に行う（Ｓ３５）。
【００８６】
次に、乗換エレベータ（Ｃ号機又はＤ号機）が指定された時刻から、各エレベータ［（Ａ号機又はＢ号機）、及び（Ｃ号機又はＤ号機）］が今回指定された乗換階に停止するための減速開始時刻までの期間に少なくとも一方のエレベータ［（Ａ号機又はＢ号機）、又は（Ｃ号機又はＤ号機）］にかご呼びが登録されたとき（Ｓ３６、Ｓ３７、Ｓ３８）、Ｓ３４へ戻り、到着予想時間の演算及び乗換エレベータの指定、乗換階の指定、及びかご呼びの割当先移動をやり直す。
【００８７】
エレベータ（Ａ号機又はＢ号機）が今回指定された乗換階に停止するための減速開始時刻になると（Ｓ３８）、最終的に指定された乗換エレベータ（Ｃ号機又はＤ号機）及び乗換階を含む乗換案内を、段違い階２を目的階とするかご呼びが登録されたエレベータ（Ａ号機又はＢ号機）の乗客にかご５ａ、５ｂ内に設けられた表示器９に表示出力すると共にスピーカ７で音声出力する（Ｓ３９）。
【００８８】
このように構成された本発明の第４実施形態のエレベータの群管理制御装置３ｃにおいては、本発明の第３実施形態のエレベータの群管理制御装置３ｂとほぼ同様の作用効果を得ることが可能である。
【００８９】
さらに、本発明の第４実施形態のエレベータの群管理制御装置３ｃにおいては、乗換階で乗換エレベータ（Ｃ号機又はＤ号機）に乗換えた利用客（乗客）は、乗換エレベータ（Ｃ号機又はＤ号機）のかご５ｃ（５ｄ）内で、かご呼びボタン６で再度目的階を登録する必要ない。したがって、エレベータの乗換客に対するサービスをより一層向上できる。
【図面の簡単な説明】
【００９０】
【図１】本発明の第１実施形態に係わるエレベータの群管理制御装置が組込まれたエレベータシステムの概略構成図
【図２】同実施形態のエレベータシステムが適用されるビルの構成図
【図３】同実施形態のエレベータの群管理制御装置の動作を示す流れ図
【図４】本発明の第２実施形態に係わるエレベータの群管理制御装置が組込まれたエレベータシステムの概略構成図
【図５】同実施形態のエレベータの群管理制御装置の動作を示す流れ図
【図６】本発明の第３実施形態に係わるエレベータの群管理制御装置が組込まれたエレベータシステムの概略構成図
【図７】同実施形態のエレベータの群管理制御装置の動作を示す流れ図
【図８】本発明の第３実施形態に係わるエレベータの群管理制御装置が組込まれたエレベータシステムの概略構成図
【図９】同実施形態のエレベータの群管理制御装置の動作を示す流れ図
【符号の説明】
【００９１】
１…通常階、２…段違い階、３，３ａ，３ｂ，３ｃ…群管理制御装置、４…単体性制御部、５ａ，５ｂ，５ｃ，５ｄ…かご、６…かご呼びボタン、７…スピーカ、８…乗場呼びボタン、９…表示器、１０…割当制御部、１１…サービス可否判定部、１２，１２ａ…到着予想時間演算部、１３，１３ａ…乗換制御部、１４…乗換制御再実行部、１５，１５ａ…乗換予報制御部、１６…割当先移動部
【図１】
2006143456.tif 000003
【図２】
2006143456.tif 000004
【図３】
2006143456.tif 000005
【図４】
2006143456.tif 000006
【図５】
2006143456.tif 000007
【図６】
2006143456.tif 000008
【図７】
2006143456.tif 000009
【図８】
2006143456.tif 000010
【図９】
2006143456.tif 000011